(57)【要約】【課題】半丸樋である軒樋の底部をしっかりと挟み込んで強固に取り付けることができるドレンを提供する。【解決手段】半丸樋である軒樋２の下方に配置されて、軒樋２の底部２０に形成された落とし口に連通する排水筒３を備える。排水筒３は、軒樋２の底部２０の下面に当接する第一当接面３０１と、ねじ部３１２とを有する。軒樋２の底部２０上に載置される通水可能な通水部材５と、通水部材５上に載置され、ねじ部３１２に螺合されることで、通水部材５を介して軒樋２の底部２０を下方に押圧するねじ部材６とをさらに備える。通水部材５は、軒樋２の底部２０の上面に当接する第二当接面５１０を有する。排水筒３の第一当接面３０１及び通水部材５の第二当接面５１０が、軒樋２の底部２０に沿った断面弧状に形成される。【選択図】図１
2015071929.tif 000002
【特許請求の範囲】
【請求項１】
半丸樋である軒樋の下方に配置されて、前記軒樋の底部に形成された落とし口に連通する排水筒を備え、
前記排水筒は、
前記軒樋の底部の下面に当接する第一当接面と、
ねじ部とを有し、
前記軒樋の底部上に載置される通水可能な通水部材と、
前記通水部材上に載置され、前記ねじ部に螺合されることで、前記通水部材を介して前記軒樋の底部を下方に押圧するねじ部材とをさらに備え、
前記通水部材は、前記軒樋の底部の上面に当接する第二当接面を有し、
前記排水筒の前記第一当接面及び前記通水部材の前記第二当接面が、前記軒樋の底部に沿った断面弧状に形成されたことを特徴とするドレン。
【請求項２】
前記排水筒の軸方向を鉛直方向に対して傾けた状態で、前記軒樋に取り付けられることを特徴とする請求項１に記載のドレン。
【請求項３】
前記排水筒に、前記落とし口を通して前記軒樋の底部より上方に突出する突出部が設けられ、前記突出部において前記軒樋の底部より上方に位置する箇所に前記ねじ部が形成されたことを特徴とする請求項１又は請求項２に記載のドレン。
【発明の詳細な説明】
【技術分野】
【０００１】
本発明は軒樋と下流側の管材を接続するためのドレンに関する。
【背景技術】
【０００２】
特許文献１には、軒樋の底部に取り付けて用いられるドレンが開示されている。このドレンは上部内筒と下部外筒を備えている。上部内筒は、雄ねじと、雄ねじの上端部外面に形成された鍔部を備えている。上部内筒の雄ねじは、軒樋の底部に形成された排水孔に上方から挿通される。下部外筒は円筒状本体と、円筒状本体の上端部外面に形成された鍔部を備えている。円筒状本体の内面には、雌ねじが形成されている。下部外筒の雌ねじは、上部内筒の雄ねじに螺合される。これにより、上部内筒の鍔部と、下部外筒の鍔部とで、軒樋の底部における排水孔の周縁部が挟まれて、ドレンが軒樋に取り付けられる。
【先行技術文献】
【特許文献】
【０００３】
【特許文献１】特開平９−２７９７８４号公報
【発明の概要】
【発明が解決しようとする課題】
【０００４】
ところで、特許文献１に示されるドレンは、軒樋が断面弧状の底部を有する半丸樋である場合に、強固に取り付けることが難しい。例えば特許文献１のドレンにおいて、上部内筒の鍔部と下部外筒の鍔部とで軒樋の底部をしっかりと挟み込むには、両鍔部を軒樋の底面に沿う断面弧状に形成する必要がある。しかし、このようにすると、施工者が下部外筒を上部内筒に螺合する際に、下部外筒の鍔部が軒樋の底部に当たって、下部外筒を回転することができない。また、施工者が上部内筒を下部外筒に螺合することも考えられるが、この場合も、上部内筒の鍔部が軒樋の底部に当たって、上部内筒を回転することができない。
【０００５】
なお、軒樋が半丸樋である場合、従来ではドレンに代えて集水器が用いられていたが、この集水器は軒樋が挿入されるために大型になりやすく、すっきりした外観とすることが難しい。
【０００６】
本発明は前記事情に鑑みてなされたものであって、半丸樋である軒樋の底部をしっかりと挟み込んで強固に取り付けることができるドレンを提供することを課題とする。
【課題を解決するための手段】
【０００７】
上記課題を解決するために本発明のドレンは、半丸樋である軒樋の下方に配置されて、前記軒樋の底部に形成された落とし口に連通する排水筒を備え、前記排水筒は、前記軒樋の底部の下面に当接する第一当接面と、ねじ部とを有し、前記軒樋の底部上に載置される通水可能な通水部材と、前記通水部材上に載置され、前記ねじ部に螺合されることで、前記通水部材を介して前記軒樋の底部を下方に押圧するねじ部材とをさらに備え、前記通水部材は、前記軒樋の底部の上面に当接する第二当接面を有し、前記排水筒の前記第一当接面及び前記通水部材の前記第二当接面が、前記軒樋の底部に沿った断面弧状に形成されたことを特徴とする。
【０００８】
また、ドレンは、前記排水筒の軸方向を鉛直方向に対して傾けた状態で、前記軒樋に取り付けられることが好ましい。
【０００９】
また、ドレンは、前記排水筒に、前記落とし口を通して前記軒樋の底部より上方に突出する突出部が設けられ、前記突出部において前記軒樋の底部より上方に位置する箇所に前記ねじ部が形成されることが好ましい。
【発明の効果】
【００１０】
本発明のドレンは、半丸樋である軒樋に取り付けた場合に、排水筒の第一当接面を軒樋の底部の下面に沿って接触させ、通水部材の第二当接面を軒樋の底部の上面に沿って接触させることができる。このため、半丸樋である軒樋の底部を、通水部材と排水筒との間にしっかりと挟んだ状態で、ドレンを軒樋に強固に取り付けることができる。
【図面の簡単な説明】
【００１１】
【図１】第一実施形態のドレンを軒樋に取り付けた状態を示す断面図である。
【図２】第一実施形態のドレンの側面図である。
【図３】第一実施形態のドレン及び軒樋の分解図である。
【図４】第二実施形態のドレンを軒樋に取り付けた状態を示す斜視図である。
【図５】第二実施形態のドレンを軒樋に取り付けた状態を示す一部切欠斜視断面図である。
【図６】第二実施形態のドレンの分解斜視図である。
【発明を実施するための形態】
【００１２】
以下、添付図面に基づき、本発明の実施形態について説明する。
【００１３】
（第一実施形態）
図１には本実施形態のドレン１が、軒樋２に取り付けられた状態が示されている。以下、この取り付け状態における方向を基準にして、ドレン１及びその取り付け構造について説明する。すなわち、以下では、軒樋２の長手方向を左右方向とし、軒樋２から見て建物側を後方、屋外側を前方として説明する。
【００１４】
軒樋２は、例えば建物に取り付けられた軒樋吊具（不図示）に吊り下げられる。軒樋２は半丸樋であって、下方に凸となる断面弧状の底部２０を有している。
【００１５】
軒樋２の底部２０には、上下に貫通する落とし口２００が形成されている。落とし口２００は、例えばホールソー等を用いて平面視円形状に形成される。なお、落とし口２００は、非円形状に形成されてもよい。
【００１６】
図３に示されるように、ドレン１は、排水筒３、通水部材５、及びねじ部材６を備えている。図１に示されるように、排水筒３は、筒状部３０と、筒状部３０から上方に突出した突出部３１を有している。筒状部３０は、軸方向が下方程後方（建物側）に位置するように傾斜した円筒状に形成されている。筒状部３０の上端部には、上方に開口する上開口部３０２が形成されている。筒状部３０の下流側部分（軸方向における下側部分）は、呼び樋７等の下流側の管材を連結可能な連結部３００となっている。筒状部３０の上端面（上開口部３０２の周縁部上面）は、軒樋２の底部２０の下面に当接する第一当接面３０１となっている。第一当接面３０１は、軒樋２の底部２０の下面に沿うように下方に凹んだ断面弧状の凹曲面となっている。
【００１７】
突出部３１は筒部３１０と複数の支柱部３１１で構成されている。支柱部３１１は、平面視で同一の仮想円上に間隔を介して複数並べて設けられている。本実施形態では、筒状部３０に計２本の支柱部３１１が設けられており、両支柱部３１１は、前後方向に間隔を介して配置されている。
【００１８】
各支柱部３１１は、上下に長い棒状であって、筒状部３０と一体に形成されている。各支柱部３１１は、筒状部３０の前側の内面から上開口部３０２を介して筒状部３０の上方に突出している。
【００１９】
筒部３１０は上下に開口した円筒状に形成されている。各支柱部３１１の上端部は、筒部３１０に一体に接続されている。筒部３１０の外周面には、ねじ部３１２が形成されている。ねじ部３１２は雄ねじである。
【００２０】
排水筒３は軒樋２の下側に配置される。排水筒３の第一当接面３０１は、軒樋２の断面円弧状の底部２０の下面に面接触で当接する。これにより、排水筒３は前後方向の移動が規制されて図１に示される向きで配置される。
【００２１】
突出部３１は軒樋２の下方から落とし口２００を通して、軒樋２の底部２０より上方に突出する。突出部３１は、軒樋２よりも上方に突出し、筒部３１０は軒樋２よりも上方に配置される。
【００２２】
本実施形態の通水部材５は落ち葉等のごみを捕集する機能を有するフィルター部材である。通水部材５は、平面視環状の上下の枠部５０，５１同士を、周方向に複数設けられた柱部５２で接続したものであり、全体で上下に開口した筒状に形成されている。
【００２３】
通水部材５の上下の枠部５０，５１の内側には、平面視円形の上下に貫通する孔５３が形成されている。通水部材５の複数の柱部５２で構成された周壁部には、隣り合う柱部５２の間に形成された通水孔５４が周方向に多数形成されている。
【００２４】
通水部材５の下側の枠部５１は、軒樋２の長手方向と直交する断面において、軒樋２の底部２０の上面に沿う弧状に形成されている。枠部５１の下面は、軒樋２の底部２０の上面に当接する第二当接面５１０となっている。第二当接面５１０は、軒樋２の底部２０の上面に沿うよう下方に凸となる断面弧状に形成されている。
【００２５】
排水筒３の突出部３１の外側には、筒状の通水部材５が上方から嵌め込まれる。具体的には、通水部材５の上下の枠部５０、５１の孔５３に、突出部３１が嵌め込まれる。突出部３１の上端部に形成された筒部３１０は、通水部材５の上側の枠部５０よりも上方に突出する。
【００２６】
通水部材５の突出部３１への嵌め込みは、軒樋２の底部２０上に突出した突出部３１に通水部材５を嵌め込むことで行ってもよいし、軒樋２の底部２０上に載置した通水部材５に排水筒３に設けられた突出部３１を差し込むことで行ってもよい。
【００２７】
また、通水部材５は、その下端面となる第二当接面５１０を軒樋２の底部２０の上面に沿って面接触した状態で、軒樋２の底部２０上に載置される。
【００２８】
ねじ部材６は上下に開口した略円筒状に形成されている。ねじ部材６の内周面には、雌ねじ６０が形成されている。雌ねじ６０は突出部３１の筒部３１０のねじ部３１２に螺合される。
【００２９】
突出部３１に螺合されたねじ部材６の下端面は、通水部材５の上側の枠部５０の上面に当接する。このねじ部材６は、通水部材５の上側の枠部５０を下方に押圧する。これにより、軒樋２の底部２０が、通水部材５の下側の枠部５１の下面と、排水筒３の第一当接面３０１との間で上下に挟まれて、ドレン１が軒樋２に固定される。
【００３０】
排水筒３の連結部３００には、例えば図１に示されるように呼び樋７の上流側端部が直接連結される。図示は省略するが、図１に示される呼び樋７の下流側端部は、エルボーを介して竪樋の上端部に連結される。
【００３１】
図１に示されるように軒樋２がドレン１に取り付けられた状態では、軒樋２を流れる雨水は、ドレン１を介して下流側の管材である呼び樋７に流れる。具体的に軒樋２を流れる雨水は、通水部材５の多数の通水孔５４、両支柱部３１１の間に形成された空間、及び軒樋２の落とし口２００を順に通って排水筒３の筒状部３０内に流れる。そして、この雨水は、排水筒３に接続された呼び樋７及びエルボーを介して竪樋に流れる。
【００３２】
軒樋２を流れる雨水が通水部材５の通水孔５４を通過するときには、通水部材５の柱部５２により、雨水に含まれる落ち葉等のごみが捕集される。このため、通水部材５よりも下流側の排水筒３や、排水筒３の下流側に配置される管材においては、ごみ等が詰まり難くなる。
【００３３】
以上説明した本実施形態のドレン１は、軒樋２の下方に配置されて、軒樋２の底部２０に形成された落とし口２００に連通する排水筒３を備える。排水筒３は、軒樋２の底部２０の下面に当接する第一当接面３０１と、ねじ部３１２を有する。ドレン１は、軒樋２の底部２０上に載置される通水可能な通水部材５と、通水部材５上に載置され、ねじ部３１２に螺合されることで、通水部材５を介して軒樋２の底部２０を下方に押圧するねじ部材６とをさらに備える。通水部材５は、軒樋２の底部２０の上面に当接する第二当接面５１０を有する。排水筒３の第一当接面３０１及び通水部材５の第二当接面５１０が、軒樋２の底部２０に沿った断面弧状に形成される。
【００３４】
このドレン１を軒樋２に取り付けるには、排水筒３を軒樋２の下方に配置し、軒樋２の底部２０に通水部材５を載置し、ねじ部材６を排水筒３に設けられたねじ部３１２に螺合する。これにより、通水部材５と排水筒３で軒樋２の底部２０を挟み込んで軒樋２に取り付けることができる。
【００３５】
また、このようにドレン１を軒樋２に取り付けた場合、通水部材５の第二当接面５１０を軒樋２の底部２０の上面に面接触させ、且つ排水筒３の第一当接面３０１を軒樋２の底部２０の下面に面接触させることができる。このため、軒樋２の底部２０を、通水部材５と排水筒３との間にしっかりと挟んで、ドレン１を軒樋２に強固に取り付けることができる。
【００３６】
また、本実施形態の通水部材５とねじ部材６は別体であり、ねじ部材６を締め込んだときに通水部材５に過大なトルクが加わり難くなる。このため、ねじ部材６の締め込みに伴う通水部材５の変形や破損が生じ難くなる。
【００３７】
また、ドレン１は、本実施形態のように、排水筒３の軸方向を鉛直方向に対して傾けた状態で、軒樋２に取り付けられるものであることが好ましい。このようにすると、軸方向が鉛直方向に対して傾いた排水筒３に呼び樋７を直接連結でき、軒樋２に呼び樋７を連結するためのエルボー等の管材を省略することができる。また、排水筒３の第一当接面３０１を、軒樋２の底部２０の下面に当接することで、排水筒３を簡単に適切な向きに配置することができる。
【００３８】
また、排水筒３には、本実施形態のように落とし口２００を通して軒樋２の底部２０より上方に突出する突出部３１が設けられ、突出部３１において軒樋２の底部２０より上方に位置する箇所にねじ部３１２が形成されることが好ましい。このようにすることで、ドレン１を軒樋２に取り付けた場合に、ドレン１の取り付けに用いられるねじ部材６を、軒樋２の底部２０より上方に配置することができて、排水筒３の内側に部材をねじ込む必要がない。このため、排水筒３内の流路面積を大きくして排水性を高めることができる。また、突出部３１のねじ部３１２を、軒樋２の底部２０より上方に位置する箇所に形成したことにより、施工者がねじ部材６を締め込む際には、ねじ部材６を、軒樋２の奥部に手を入れることなく、軒樋２が邪魔になり難い高い位置で簡単に操作できる。
【００３９】
（第二実施形態）
次に第二実施形態について説明する。なお、以下の説明では第一実施形態と同じ機能を有する要素については同一の番号を付与し、重複する説明は省略する。
【００４０】
図４〜図６に示された本実施形態のドレン１は、通水部材５とは別に、フィルター部材８を備えている。
【００４１】
図６に示されるように、通水部材５は、上下の板部９５，９６同士を複数の連結部９７、９８で連結したものである。上側の板部９５は略水平である。下側の板部９６は、軒樋２の底部２０の上面と平行になるよう左右方向に直交する断面形状が円弧状になっている。本実施形態では板部９６の下面が、軒樋２の底部２０の上面に当接する第二当接面９６１を構成している。第二当接面９６１は軒樋２の底部２０の上面に沿うよう下方に凸となる断面弧状に形成されている。
【００４２】
上下の板部９５，９６の中央には、上下方向に貫通する挿通孔９５０，９６０が夫々形成されている。
【００４３】
通水部材５は計２つの連結部９７，９８を有している。連結部９７は通水部材５の前側に設けられ、連結部９８は通水部材５の後側に設けられている。各連結部９７，９８は縦長で厚み方向を前後方向とした板状に形成されている。前側の連結部９７は上下の板部９５，９６における前端部同士を連結しており、挿通孔９５０，９６０よりも前側に位置している。後側の連結部９８は上下の板部９５，９６における後端部同士を連結しており、挿通孔９５０，９６０よりも後側に位置している。
【００４４】
図５に示されるように、通水部材５の下面部を構成する下側の板部９６は、挿通孔９６０を落とし口２００に連通させた状態で軒樋２の底部２０上に載置される。この載置状態では、下側の板部９６の下面（第二当接面９６１）は、軒樋２の底部２０の上面に面接触する。
【００４５】
通水部材５の上下の挿通孔９５０，９６０には、落とし口２００から上方に突出した突出部３１の両支柱部３１１が挿通される。これにより、両支柱部３１１によって上下の板部９５，９６の水平方向の位置が決まり、通水部材５の水平方向の移動が規制される。
【００４６】
突出部３１の両支柱部３１１は、通水部材５の上下の挿通孔９５０，９６０の孔縁部の夫々に形成された凹部９９，１００（図６参照）に嵌め込まれる。これにより、上下の板部９５，９６の周方向の位置が決まり、通水部材５が縦軸回りに回動し難くなる。
【００４７】
突出部３１のねじ部３１２に締め込まれたねじ部材６は、通水部材５の上側の板部９５を下方に向けて押圧する。これにより、軒樋２の底部２０は、通水部材５の下側の板部９６の下面（第二当接面９６１）と、排水筒３の上端面（第一当接面３０１）との間において上下に挟まれ、排水筒３、通水部材５、及びねじ部材６が軒樋２に対して固定される。
【００４８】
フィルター部材８は通水部材５に対して着脱可能に固定される。図６に示されるようにフィルター部材８は網状（格子状）に形成されており、その全体に亘るように、網目（格子目）で構成された矩形状の通水孔８４が多数形成されている。
【００４９】
フィルター部材８は、左右に離間した側面部８２と、側面部８２の上端同士を繋ぐ上面部８３とで構成されている。図４に示されるように、フィルター部材８の左右の側面部８２は、通水部材５の左右両側に配置される。各側面部８２は左右方向から見て軒樋２の内面に合致する半円状に形成されている。フィルター部材８の各側面部８２は、軒樋２の底部２０上に載置される。このとき、各側面部８２の円弧状の下面は、軒樋２の内面の周方向の全体に亘って接触した状態となり、これによりフィルター部材８の前後方向及び下方の移動が規制される。また、このように配置されたフィルター部材８の各側面部８２は、左右方向から見たときに、軒樋２において雨水が流れる領域の全体に亘って配置され、通水部材５の左右両側を覆う。
【００５０】
図６に示されるように、フィルター部材８の上面部の中央部には、上下に貫通する嵌込孔８３０が形成されている。嵌込孔８３０は平面視円形の孔であって、その直径はねじ部材６の外径と略同じである。
【００５１】
フィルター部材８の嵌込孔８３０には、突出部３１に螺合したねじ部材６が嵌め込まれる。これによりフィルター部材８の通水部材５に対する水平方向の移動が規制される。
【００５２】
すなわち、フィルター部材８は、両側の側面部８２を軒樋２の底部２０上に載置して軒樋２の内側に嵌め込み、且つ、嵌込孔８３０にねじ部材６を嵌め込むことで、軒樋２及びこれに取り付けられた通水部材５の両者に対して固定される。このようにフィルター部材８を固定することで、通水部材５は、図４に示されるようにフィルター部材８と軒樋２とで囲まれた空間に配置される。
【００５３】
また、前記のように軒樋２及び通水部材５に対して固定されたフィルター部材８は、フィルター部材８を上方に持ち上げて、両側の側面部８２を軒樋２から引き抜くことで、簡単に取り外せるようになっている。
【００５４】
図４に示されるようにドレン１が軒樋２に取り付けられた状態では、軒樋２を流れる雨水は、フィルター部材８の側面部８２の通水孔８４を通過する。この雨水は、通水部材５の両連結部９７，９８の間、及び下側の挿通孔９６０を順に通り、軒樋２の落とし口２００から排水筒３に排出される。ここで、軒樋２を流れる雨水がフィルター部材８の通水孔８４を通過するときには、フィルター部材８の網状の側面部８２によって雨水に含まれる落ち葉等のごみが捕集される。
【００５５】
なお、前記各実施形態では、突出部３１を筒状部３０と一体に形成したが、突出部３１は筒状部３０と別体であってもよい。また、前記各実施形態では、排水筒３のねじ部３１２を軒樋２の底部２０の上方に設けたが、軒樋２の底部２０の下方に設けてもよい。また、ねじ部３１２を雌ねじとし、排水筒３にこの雌ねじに螺合する雄ねじを形成してもよい。
【００５６】
また、前記各実施形態では、排水筒３の筒状部３０の軸方向が鉛直方向に対して傾斜しているが、鉛直であってもよい。また、排水筒３に連結される下流側の管材は、呼び樋７に限られず、エルボー等の継手や竪樋であってもよい。また、この他、ドレン１は、本発明の趣旨を逸脱しない範囲内で設計変更可能である。
【符号の説明】
【００５７】
１  ドレン
２  軒樋
３  排水筒
５  通水部材
６  ねじ部材
２０  底部
３１  突出部
２００  落とし口
３０１  第一当接面
３１２  ねじ部
５１０  第二当接面
９６１  第二当接面
【図１】
2015071929.tif 000003
【図２】
2015071929.tif 000004
【図３】
2015071929.tif 000005
【図４】
2015071929.tif 000006
【図５】
2015071929.tif 000007
【図６】
2015071929.tif 000008